(57)【要約】【課題】  蓋体を装着したまま水切り容器の取り出し、持ち運びができるとともに、本体容器に水切り容器が装着されていることを容易に判別することができるゴミ容器を提供する。【解決手段】  ゴミ容器１０は、本体容器１１と、水切り容器１２と、蓋体１３とを備える。蓋体１３を水切り容器１２に被着してアーム５４の先端を係合片３４に係合することにより、蓋体１３が水切り容器１２に固定されている。水切り容器１２の上縁部で外面には、スペーサ３３が設けられ、本体容器１１の上縁には、スペーサ３３の端部が当接される本体フランジ２１が設けられ、スペーサ３３を所定寸法に設定し、水切り容器１２が本体容器１１に内挿された状態で、水切り容器１２の上縁部が本体容器１１の外側に露出し、かつ水切り容器１２の係合片３４と蓋体１３のアーム５４の先端との係合等を行う操作スペース６１が、係合片３４と本体容器１１の上縁との間に確保されている。【選択図】      図６
2008137766.tif 000002
【特許請求の範囲】
【請求項１】
本体容器と、該本体容器に内挿されて収容物の水切りをする水切り容器と、蓋体とを備えるゴミ容器であって、
該蓋体の周縁には、先端に鉤形状を有するアームの基端が回動自在に取り付けられており、該水切り容器の上縁には、係合片が差し出されており、
該蓋体を該水切り容器に被着して該アームの先端を該係合片に係合することにより、該蓋体が該水切り容器に固定可能とされているとともに、
該水切り容器の上縁部で外面には、スペーサが設けられており、該本体容器の上縁には、該水切り容器が内挿された場合に該スペーサの端部が当接される当接部が設けられており、
該スペーサ又は該当接部を所定寸法に設定することにより、該水切り容器が該本体容器に内挿された状態で、該水切り容器の上縁部が該本体容器の外側に露出されており、かつ該水切り容器の該係合片と該蓋体の該アームの先端との係合又は係合解除を行うための操作スペースが該係合片と該本体容器の上縁との間に確保されていることを特徴とするゴミ容器。
【請求項２】
該スペーサは、複数対が設けられており、該係合片は、一対のスペーサの間に配設されている請求項１に記載のゴミ容器。
【請求項３】
該本体容器の上縁には、該水切り容器の該係合片と断面形状を同じくする本体係合片が差し出されており、該蓋体を該本体容器に被着して該アームの先端を該本体係合片に係合することにより、該蓋体が該本体容器に固定可能とされている請求項１又は請求項２に記載のゴミ容器。
【請求項４】
該水切り容器の底部は、該底部の一縁側が他縁側よりも低くなるように全体的に傾斜されることによって斜面状に形成されているとともに、該底部には、複数のスリットが底部中央から傾斜方向へ延びるように並設されている請求項１から請求項３のうち何れか一項に記載のゴミ容器。
【請求項５】
該水切り容器の底部には、該底部の一縁側が中央よりも低くなるように中央から半分が傾斜されることによって斜面部分が形成されており、該斜面部分には、複数のスリットが傾斜方向へ延びるように並設されている請求項１から請求項３のうち何れか一項に記載のゴミ容器。
【発明の詳細な説明】
【技術分野】
【０００１】
本発明は、例えば生ゴミなどのような水分を含むゴミを収容するのに適するゴミ容器に関する。
【背景技術】
【０００２】
従来、生ゴミなどのような水分を含むゴミを収容するゴミ容器として、例えば特許文献１、特許文献２に記載のようなものが提案されている。
特許文献１に記載の水切りを備えたゴミ容器は、水分を含む生ゴミを収容し、かつ生ゴミの水分を除去する内側容器と、この内側容器を脱抜可能に装着し、その底面側に水分を貯留する貯留部を有する外側容器とからなる。この内側容器は、桟により縦横に配列されて骨組みされる骨格部とその内側に形成された透水膜とを備えている。また内側容器の上端縁には係止突縁が張出状に設けてあり、外側容器の上端面には載置面が設けてあり、外側容器に内側容器が収蔵された状態で、この係止突縁が載置面に係合載置されて内側容器が外側容器の内部に吊持される。さらに、外蓋が設けられる場合、この外蓋に適宜係止手段が設けられる。
【０００３】
特許文献２に記載の水切りペールは、角筒状の樹脂製容器本体と、容器本体内に収容支持され、周壁に多数の水切り穴が形成された樹脂製水切りかごとからなる。容器本体の上端近傍の内周面には段差部が形成されており、水切りかごの上端近傍の外周縁には折り返し部が全周にわたって形成されており、容器本体に水切りかごが収容された状態で、この折り返し部が段差部に載置されて水切りかごが容器本体の内部に吊持される。また水切りかごにはハンドルが回動自在に軸支されており、このハンドルを使って水切りかごを持ち運びすることができるようになっている。さらに、開閉蓋は、ヒンジ部材を介して容器本体に着脱自在に取り付けられている。
【０００４】
【特許文献１】特開２００２−１２３０２号公報
【特許文献２】特開２００６−２６４８８４号公報
【発明の開示】
【発明が解決しようとする課題】
【０００５】
ところが、上記従来のゴミ容器にあっては、水切りしたゴミを棄てるべく、水切り容器である内側容器又は水切りかごを取り出そうとする度に蓋を開けなければならず、煩雑である。また水切り容器である内側容器又は水切りかごを持ち運ぶ際には、蓋が開いてゴミが外部に露出した状態となっており、不衛生であり、見栄えも悪い。さらには、水切り容器である内側容器又は水切りかごは、本体容器である外側容器又は容器本体の内部にほぼ完全に収容されるようになっている。このため、水切り容器である内側容器又は水切りかごが持ち出された状態か否かを判別しづらく、水切り容器が収容されていない状態で水切りされていない生ゴミを本体容器である外側容器又は容器本体内に捨ててしまうおそれがある。
本発明は、このような従来技術に存在する問題点に着目してなされたものである。その目的とするところは、蓋体を装着したまま水切り容器の取り出し、持ち運びができるとともに、本体容器に水切り容器が装着されていることを容易に判別することができるゴミ容器を提供することにある。
【課題を解決するための手段】
【０００６】
上記の目的を達成するために、請求項１に記載のゴミ容器の発明は、本体容器と、該本体容器に内挿されて収容物の水切りをする水切り容器と、蓋体とを備えるゴミ容器であって、該蓋体の周縁には、先端に鉤形状を有するアームの基端が回動自在に取り付けられており、該水切り容器の上縁には、係合片が差し出されており、該蓋体を該水切り容器に被着して該アームの先端を該係合片に係合することにより、該蓋体が該水切り容器に固定可能とされているとともに、該水切り容器の上縁部で外面には、スペーサが設けられており、該本体容器の上縁には、該水切り容器が内挿された場合に該スペーサの端部が当接される当接部が設けられており、該スペーサ又は該当接部を所定寸法に設定することにより、該水切り容器が該本体容器に内挿された状態で、該水切り容器の上縁部が該本体容器の外側に露出されており、かつ該水切り容器の該係合片と該蓋体の該アームの先端との係合又は係合解除を行うための操作スペースが該係合片と該本体容器の上縁との間に確保されていることを要旨とする。
【０００７】
上記構成によれば、蓋体を該水切り容器に被着して該アームの先端を該係合片に係合することにより、該蓋体が該水切り容器に固定可能とされているため、蓋体を装着したまま水切り容器の持ち運びができる。また水切り容器が本体容器に内挿された状態で、水切り容器の上縁部が本体容器の外側に露出されているため、本体容器に水切り容器が装着されていることを容易に判別することができる。また水切り容器の係合片と蓋体のアームの先端との係合又は係合解除を行うための操作スペースが係合片と本体容器の上縁との間に確保されている。この係合片と本体容器の上縁との間における操作スペースの確保と、水切り容器が本体容器に内挿された状態で水切り容器の上縁部が本体容器の外側に露出されていることにより、本体容器からの水切り容器の取り出し時には、蓋体を装着したまま水切り容器を本体容器から取り出すことができる。
【０００８】
請求項２に記載の発明は、請求項１に記載のゴミ容器の発明において、該スペーサは、複数対が設けられており、該係合片は、一対のスペーサの間に配設されていることが望ましい。
上記構成によれば、一対のスペーサの間が操作スペースとなり、操作スペースの確保が容易となる。
【０００９】
請求項３に記載の発明は、請求項１又は請求項２に記載のゴミ容器の発明において、該本体容器の上縁には、該水切り容器の該係合片と断面形状を同じくする本体係合片が差し出されており、該蓋体を該本体容器に被着して該アームの先端を該本体係合片に係合することにより、該蓋体が該本体容器に固定可能とされていることが望ましい。
上記構成によれば、本体容器用、水切り容器用の蓋体をそれぞれ個別に用意せずとも、蓋体を本体容器と水切り容器とで共用することができる。
【００１０】
請求項４に記載の発明は、請求項１から請求項３のうち何れか一項に記載のゴミ容器の発明において、該水切り容器の底部は、該底部の一縁側が他縁側よりも低くなるように全体的に傾斜されることによって斜面状に形成されているとともに、該底部には、複数のスリットが底部中央から傾斜方向へ延びるように並設されていることが望ましい。
上記構成によれば、斜面の下側へ水分が貯まって滴下するようになるため、底部の他縁側からは水分が滴らず、水切り容器を持ち運ぶときに、その持ち運ぶ者が水分で汚れることを抑制することができる。
【００１１】
請求項５に記載の発明は、請求項１から請求項３のうち何れか一項に記載のゴミ容器の発明において、該水切り容器の底部には、該底部の一縁側が中央よりも低くなるように中央から半分が傾斜されることによって斜面部分が形成されており、該斜面部分には、複数のスリットが傾斜方向へ延びるように並設されていることが望ましい。
上記構成によれば、斜面部分の下側へ水分が貯まって滴下するようになるため、底部の他縁側からは水分が滴らず、水切り容器を持ち運ぶときに、その持ち運ぶ者が水分で汚れることを抑制することができる。
【発明の効果】
【００１２】
本発明によれば、蓋体を装着したまま水切り容器の取り出し、持ち運びができるとともに、本体容器に水切り容器が装着されていることを容易に判別することができる。
【発明を実施するための最良の形態】
【００１３】
以下、本発明のゴミ容器を具体化した一実施形態について説明する。
図１に示すように、ゴミ容器１０は、本体容器１１、水切り容器１２及び蓋体１３からなる。該水切り容器１２は、該本体容器１１に内挿されるようになっている。図２（ａ）に示すように、該蓋体１３は、該本体容器１１に該水切り容器１２が内挿された状態で、該水切り容器１２に被着されるようになっている。また図２（ｂ）に示すように、該蓋体１３は、該本体容器１１に該水切り容器１２が内挿されていない状態で、該本体容器１１に被着されるようになっている。
【００１４】
上記本体容器１１は、合成樹脂、金属などを材料として、有底角筒状に形成されている。図３（ａ），（ｂ）に示すように、該本体容器１１の外面上端には、本体フランジ２１が該本体容器１１の全周にわたって形成されるとともに、該本体フランジ２１の外側縁には、該本体フランジ２１を補強する補強枠２２が下方へ向かって突設されている。該本体容器１１の外面両側部には、該本体容器１１を持ち運びする際に使用する把手２３がそれぞれ設けられている。該把手２３は、略扇状をなす一対の支持板２３Ａと、これら支持板２３Ａの下端間に架設された棒状の持ち手２３Ｂとからなる。
該補強枠２２の下端において、一対の支持板２３Ａの間には、本体係合片２４が斜め下方へ向かって延びるように形成されている。該本体係合片２４の先端下面には、断面半円状をなす係止突部２４Ａが形成されている。また、該本体容器１１の上面両側部には、引掛段部２５が該本体フランジ２１を下方へ凹ませることによって形成されている。
【００１５】
上記水切り容器１２は、合成樹脂、金属などを材料として、有底角筒状に形成されている。図４（ａ）〜（ｃ）に示すように、該水切り容器１２の外面上端には、フランジ３１が該水切り容器１２の全周にわたって形成されるとともに、該フランジ３１の外側縁には、該フランジ３１を補強する補強枠３２が下方へ向かって突設されている。該水切り容器１２の上縁部で外面両側部には、各一対ずつ、合計二対のスペーサ３３が縦板状に形成されている。
該補強枠３２の下端において、各一対のスペーサ３３の間には、係合片３４が斜め下方へ向かって延びるように形成されている。該係合片３４の先端下面には、断面半円状をなす係止突部３４Ａが形成されている。これら係合片３４及び係止突部３４Ａの断面形状と、上記本体容器１１の本体係合片２４及び係止突部２４Ａの断面形状とは、同一となっている。なお、水切り容器１２は、該係合片３４に手を掛けて持ち運びすることができるようになっている。また、該水切り容器１２の上面両側部には、引掛段部３５が該フランジ３１を下方へ凹ませることによって形成されている。
該水切り容器１２の底部は、底壁１２Ａの一縁側が他縁側よりも低くなるように全体的に傾斜させることにより、斜面状に形成されている。また、該底壁１２Ａには、複数のスリット３６Ａが底部中央から傾斜方向へ延びるように並設されている。さらに、該水切り容器１２の各側壁のうち、底壁１２Ａの一縁から立設された側壁１２Ｂの下端部にも、複数のスリット３６Ｂが上下方向へ延びるように並設されている。なお、これらスリット３６Ａとスリット３６Ｂとは繋がっておらず、底壁１２Ａと側壁１２Ｂとの境界にスリットを設けないようにすることで、該水切り容器１２の底部の強度を確保している。さらに、該水切り容器１２の底面には、脚部３７が形成されており、該底壁１２Ａを傾斜させた該水切り容器１２であっても、床などに安定して置くことができるように構成されている。
【００１６】
上記蓋体１３は、合成樹脂、金属などを材料として、浅皿状に形成されている。該蓋体１３の外面下端には、蓋フランジ５１が該蓋体１３の全周にわたって形成されるとともに、該蓋フランジ５１の外側縁には、該蓋フランジ５１を補強する補強枠５２が下方へ向かって突設されている。図５（ａ），（ｂ）に示すように、該蓋体１３の下端部で外面両側部には、アーム取付部５３が形成されている。該アーム取付部５３には、アーム５４の基端が回動自在に取り付けられている。
該アーム５４は、対向する一対の側板５４Ａと、これら側板５４Ａの外側縁を繋ぐ連結板５４Ｂとを有する略箱状に形成されるとともに、該側板５４Ａの一端に形成された回動軸５４Ｃを介して該蓋体１３の該アーム取付部５３に取り付けられている。また該アーム５４は、その先端内側に係止板５４Ｄが斜め上方へ延びるように設けられ、かつ該係止板５４Ｄの先端に係止突起５４Ｅが設けられることにより、先端に鉤形状を有している。
【００１７】
上記ゴミ容器１０は、水切り容器１２を本体容器１１にその上部開口から内挿し、さらに蓋体１３を水切り容器１２に被着して組み立てられる（図２（ａ）参照）。
図６（ａ）に示すように、水切り容器１２を本体容器１１に内挿した状態で、該水切り容器１２は、本体容器１１の本体フランジ２１を当接部として、スペーサ３３の下端を本体フランジ２１に当接させて載せることにより、該本体容器１１に吊持されている。一方、蓋体１３が水切り容器１２に被着された状態で、該蓋体１３は、アーム５４を下方に回動させ、その係止板５４Ｄの係止突起５４Ｅを、該水切り容器１２の係合片３４の係止突部３４Ａに係合させることにより、該水切り容器１２に固定されている。
【００１８】
該スペーサ３３の寸法は、所定の縦寸法となるように設定されている。該所定の縦寸法とは、該水切り容器１２が該本体容器１１に内挿された状態で、該水切り容器１２の上縁部が該本体容器１１の外側に露出されており、かつ該水切り容器１２の該係合片３４と該本体容器１１の上縁である本体フランジ２１の上面との間に操作スペース６１が形成されるような寸法である。すなわち、該スペーサ３３は、該水切り容器１２が該本体容器１１に内挿された状態で、該水切り容器１２のフランジ３１が、該本体容器１１の本体フランジ２１に当接しないように、フランジ３１を本体フランジ２１から離隔させる機能を有している。その結果、該水切り容器１２の該係合片３４と該本体容器１１の上縁である本体フランジ２１の上面との間には、蓋体１３のアーム５４と水切り容器１２の係合片３４との係合又は係合解除を行うための操作スペース６１が形成される。
【００１９】
該操作スペース６１を設けたことにより、該水切り容器１２が該本体容器１１に内挿された状態であっても、該水切り容器１２に被着された該蓋体１３の開閉を行うことができる。また、該操作スペース６１を設けたことにより、係合片３４の内側でフランジ３１の下面まで指を容易に伸ばせるため、該水切り容器１２に該蓋体１３が固定されたままの状態であっても、その固定を解除することなく、該水切り容器１２を持ち上げて該本体容器１１から容易に抜き出すことができる。さらに、該水切り容器１２の上縁部が該本体容器１１の外側に露出されているため、該水切り容器１２が該本体容器１１に内挿された状態であるか否かを容易に判別することができる。
【００２０】
上記ゴミ容器１０に生ゴミを捨てる場合、蓋体１３の水切り容器１２に対する固定が解除される。この場合も、該操作スペース６１を設けたことにより、係合片３４の内側へ指を容易に伸ばせるため、アーム５４先端の係合片３４に対する係合を容易に解除することができる。また特に図示はしないが、取り外した蓋体１３は、アーム５４先端を水切り容器１２の引掛段部３５に引っ掛けて保管することができるようになっている。
さて、ゴミ容器１０に生ゴミを捨てた場合、該生ゴミは、まず水切り容器１２内に収容物として収容される。該水切り容器１２内において、該生ゴミは水分を水切り容器１２の底壁１２Ａ上に滴らせる。底壁１２Ａ上に滴った水分は、該底壁１２Ａが斜面状に形成されていることから、該底壁１２Ａの一縁側に片寄り、そのままスリット３６Ａ，３６Ｂを介して本体容器１１内へと落ちる。図６（ｂ）に示すように、該水切り容器１２は該本体容器１１に吊持されているため、該本体容器１１内において、該水切り容器１２の底壁１２Ａよりも下方には空間６２が形成されており、本体容器１１内へ落ちた水分は該空間６２に貯められる。このように水分が本体容器１１内に貯められた結果、水切り容器１２内の生ゴミは水切りされ、ゴミとして水切り容器１２内に貯まる。
【００２１】
なお、水切り容器１２においては、上記のように底壁１２Ａ全体を傾斜させることに限らず、図７に示すように、該底部の一縁側が中央よりも低くなるように、底壁１２Ａの中央から半分を傾斜させることによって斜面部分を形成し、該斜面部分に複数のスリット３６Ａを傾斜方向へ延びるように並設してもよい。他に、底壁１２Ａの厚みを適宜変更することにより、水切り容器１２の底面を平面としたまま、その内底面を傾斜させてもよい。さらに、スリット３６Ｂを省略して水切り容器１２を構成してもよい。
また取り外した蓋体１３は、本体容器１１に水切り容器１２が内挿されていない状態であれば、本体容器１１の引掛段部２５に引っ掛けて保持してもよい。
また、ゴミ容器１０を運搬しやすいようにするため、本体容器１１の底面にキャスターを設けてもよい。
また、生ゴミを水切りする場合において、本体容器１１内の空間６２に貯まった水分が水切り容器１２内のゴミに再び吸われることを防止する観点から、前記スペーサ３３の所定の縦寸法は、本体容器１１の半分から３分の１程度の高さに水切り容器１２の底面が位置するような寸法に設定することが望ましい。加えて、スペーサ３３の寸法設定のみによることに限らず、例えば本体容器１１の本体フランジ２１の上面でスペーサ３３と対応する位置に突部を設け、該突部を当接部とし、該当接部の高さ寸法を操作スペース６１を確保できるように設定してもよい。
【図面の簡単な説明】
【００２２】
【図１】実施形態のゴミ容器を示す分解斜視図。
【図２】（ａ）は実施形態のゴミ容器を示す斜視図、（ｂ）は別の使用形態のゴミ容器を示す斜視図。
【図３】（ａ）は本体容器を示す正断面図、（ｂ）は本体容器を示す一部を拡大した正断面図。
【図４】（ａ）は水切り容器を示す正断面図、（ｂ）は水切り容器を示す側断面図、（ｃ）は水切り容器を示す一部を拡大した正断面図。
【図５】（ａ）は蓋体を示す正断面図、（ｂ）は蓋体を示す一部を拡大した正断面図。
【図６】（ａ），（ｂ）はゴミ容器を示す一部を拡大した正断面図。
【図７】別形態の水切り容器を示す側断面図
【符号の説明】
【００２３】
１０    ゴミ容器
１１    本体容器
１２    水切り容器
１３    蓋体
２１    当接部としての本体フランジ
２４    本体係合片
３３    スペーサ
３４    係合片
５４    アーム
６１    操作スペース
【図１】
2008137766.tif 000003
【図２】
2008137766.tif 000004
【図３】
2008137766.tif 000005
【図４】
2008137766.tif 000006
【図５】
2008137766.tif 000007
【図６】
2008137766.tif 000008
【図７】
2008137766.tif 000009